(57)【要約】【課題】バスバー保持ユニットの変位に伴って生じる電線の余長を吸収することができる、新規な構造の電池接続モジュールを提供すること。【解決手段】電池セル１４の配列方向で相対変位可能に連結された複数のバスバー保持ユニット２０を、別体形成された支持部材２２によって配列方向で移動可能に支持すると共に、支持部材２２に設けた余長吸収突起７８をバスバー保持ユニット２０に貫設された貫通孔６０を通じて電線収容部３８内に突設した。支持部材２２に対して、バスバー保持ユニット２０を電線３２の延出方向に向かって移動した場合に、電線３２が余長吸収突起７８と係合して電線３２の延出方向と反対方向に引かれるようにした。【選択図】図４
2015133223.tif 000002
【特許請求の範囲】
【請求項１】
組電池を構成する配列された複数の電池セルを電気的に接続する電池接続モジュールであって、
隣り合う前記電池セルのそれぞれの電極が挿通される２つの挿通孔を備え、前記電極間を電気的に接続する複数のバスバーと、
前記バスバーに組み付けられる端子と該端子から延出する電線を有する端子付電線と、  前記バスバーを収容するバスバー収容部および前記電線を収容する電線収容部を有すると共に、前記電池セルの配列方向に整列配置された複数のバスバー保持ユニットと、
隣り合う前記バスバー保持ユニット同士を、前記配列方向で相対変位可能に連結する連結機構とを含んでおり、
前記複数のバスバー保持ユニットが、別体形成された支持部材によって前記配列方向で移動可能に支持されている一方、
前記支持部材には、複数の余長吸収突起が突設されていると共に、各前記余長吸収突起が前記バスバー保持ユニットの前記電線収容部に貫設された貫通孔を通じて前記電線収容部内に突設されており、
前記支持部材に対して、前記バスバー保持ユニットが前記端子からの前記電線の延出方向に向かって移動した場合に、前記電線が前記余長吸収突起と係合して前記電線の延出方向と反対方向に引かれるようになっている
ことを特徴とする電池接続モジュール。
【請求項２】
隣り合う前記バスバー保持ユニットの離隔距離が最少となった場合に、前記余長収容突起が前記電線収容部に貫設された前記貫通孔の周縁部に当接されるようになっている請求項１に記載の電池接続モジュール。
【請求項３】
前記余長吸収突起が円筒形状である請求項１又は２に記載の電池接続モジュール。
【発明の詳細な説明】
【技術分野】
【０００１】
本発明は、組電池を構成する複数の電池セルを電気的に接続する電池接続モジュールに関するものである。
【背景技術】
【０００２】
従来から、電気自動車やハイブリッド自動車等の電動車両には、駆動源として組電池が搭載されている。この組電池は、正電極と負電極を両端に設けた角形の電池セルを複数備えており、これらの電池セルが、正電極と負電極が互いに逆向きとなるように交互に重ね合せされて配列されている。そして、電池セルの整列方向で隣り合う２つの電極間を電気的に接続する複数のバスバーが配設された電池接続モジュールを組み付けることにより、複数の電池セルの電極間が相互に接続された組電池が構成されるようになっている。
【０００３】
ところで、このような電池接続モジュールは、例えば、特開２０１１−２３８４６９号公報（特許文献１）に記載のとおり、電池セルの隣り合う２つの電極をそれぞれ挿通する２つの挿通孔が貫設されたバスバーを収容するバスバー収容部と、バスバーに組み付けられる端子から延出する電線を収容する電線収容部とを有する、複数のバスバー保持ユニットを備えている。これら複数のバスバー保持ユニットは、電池セルの配列方向に沿って相互に隙間を隔てて配列されていると共に、バスバー保持ユニット間がヒンジ等の連結機構を介して配列方向で相対変位可能に連結されている。これにより、複数の電池セルの電極ピッチと、電池接続モジュールのバスバーピッチの寸法誤差による電極とバスバーの挿通孔の位置ずれを吸収して、寸法誤差による接続不具合の発生が防止されている。
【０００４】
ところが、バスバーに組み付けられる端子から延出する電線は、隣接するバスバー保持ユニット間の離隔距離が最大となる場合を基準に配索されている。それ故、電極ピッチとバスバーピッチの寸法誤差を吸収するために、隣接するバスバー保持ユニットの離隔距離が小さくなるようにバスバー保持ユニットを変位させた場合には、端子から延出する電線に余長による弛みが発生して、電線が電線収容部から突出する場合があった。このような電線収容部からの電線の突出は、バスバーを電池セルの電極にボルト締結等する際に噛み込まれて電線が損傷したり、締結作業の邪魔になるという問題を招来するおそれがあった。また、電線収容部から突出した電線が周辺部材と干渉して不具合を生じさせるおそれもあることから、何等かの対策が求められていた。
【先行技術文献】
【特許文献】
【０００５】
【特許文献１】特開２０１１−２３８４６９号公報
【発明の概要】
【発明が解決しようとする課題】
【０００６】
本発明は、上述の事情を背景に為されたものであって、その解決課題は、バスバー保持ユニットの変位に伴って生じる電線の余長を吸収することができる、新規な構造の電池接続モジュールを提供することにある。
【課題を解決するための手段】
【０００７】
本発明の第一の態様は、組電池を構成する配列された複数の電池セルを電気的に接続する電池接続モジュールであって、隣り合う前記電池セルのそれぞれの電極が挿通される２つの挿通孔を備え、前記電極間を電気的に接続する複数のバスバーと、前記バスバーに組み付けられる端子と該端子から延出する電線を有する端子付電線と、前記バスバーを収容するバスバー収容部および前記電線を収容する電線収容部を有すると共に、前記電池セルの配列方向に整列配置された複数のバスバー保持ユニットと、隣り合う前記バスバー保持ユニット同士を、前記配列方向で相対変位可能に連結する連結機構とを含んでおり、前記複数のバスバー保持ユニットが、別体形成された支持部材によって前記配列方向で移動可能に支持されている一方、前記支持部材には、複数の余長吸収突起が突設されていると共に、各前記余長吸収突起が前記バスバー保持ユニットの前記電線収容部に貫設された貫通孔を通じて電線収容部内に突設されており、前記支持部材に対して、前記バスバー保持ユニットが前記端子からの前記電線の延出方向に向かって移動した場合に、前記電線が前記余長吸収突起と係合して前記電線の延出方向と反対方向に引かれるようになっていることを特徴とする。
【０００８】
本態様によれば、複数のバスバー保持ユニットが、別体形成された支持部材によって配列方向に移動可能に支持されていると共に、支持部材には、バスバー保持ユニットの電線収容部に貫設された貫通孔を通じて電線収容部内に突設される余長吸収突起が突設されている。しかも、余長吸収突起は、バスバー保持ユニットが端子からの電線の延出方向に向かって移動した場合に電線と係合して、電線を延出方向と反対方向に引くことができる位置に設けられている。従って、支持部材における各バスバー保持ユニットの移動許容領域において、電線の延出方向と反対方向の移動端にバスバー保持ユニットが位置する場合を隣接するバスバー保持ユニット間の離隔距離（相対変位距離）が最大となるように設定することで、隣り合うバスバー保持ユニットの離隔距離を小さくする方向、即ち電線の延出方向にバスバー保持ユニットを変位させた際に、電線が余長吸収突起に係合して電線の延出方向と反対方向に引かれるのである。これにより、電線の余長が問題となるバスバー保持ユニット間の離隔距離が小さくなる場合に、電線の余長が吸収されて、電線の電線収容部からの突出が未然に防止されるのである。その結果、電線収容部からの電線の飛び出しに起因する電線の損傷や締結作業性の悪化、更には他部材との干渉等の問題が有利に解決されるのである。
【０００９】
なお、各バスバー保持ユニットに設けられるバスバー収容部は、１つでもよいし、複数でもよく、想定される電極ピッチとバスバーピッチの寸法誤差に応じて任意に設定可能である。また、連結機構としては、ヒンジ連結や、突起と溝の組み合わせによる摺動連結等、任意の連結機構が採用可能である。
【００１０】
本発明の第二の態様は、第一の態様に記載の電池接続モジュールにおいて、隣り合う前記バスバー保持ユニットの離隔距離が最少となった場合に、前記余長吸収突起が前記電線収容部に貫設された前記貫通孔の周縁部に当接されるようになっているものである。
【００１１】
本態様によれば、余長吸収突起により電線が最も引かれることとなる、隣り合うバスバー保持ユニットの離隔距離が最少となった場合に、余長収容突起が貫通孔の周縁部に当接される。それ故、過度の引張荷重が電線に及ぼされることが回避され、電線の損傷や断線等が生じることが未然に防止されている。
【００１２】
本発明の第三の態様は、第一又は第二の態様に記載の電池接続モジュールにおいて、前記余長吸収突起が円筒形状であるものである。
【００１３】
本態様によれば、電線が係合する余長吸収突起が円筒状に形成され屈曲点のない滑らかな外周面を有していることから、余長吸収突起に係合する電線に局所的な荷重が加わることが防止されており、電線の損傷等を未然に防止することができる。
【発明の効果】
【００１４】
本発明の電池接続モジュールによれば、複数のバスバー保持ユニットが、別体形成された支持部材によって配列方向に移動可能に支持されていると共に、支持部材に設けられた余長吸収突起が、バスバー保持ユニットの電線収容部に貫設された貫通孔を通じて電線収容部内に突設されている。この余長吸収突起は、バスバー保持ユニットが端子からの電線の延出方向に向かって移動した場合に電線と係合して、電線を延出方向と反対方向に引くことができるように設けられている。それ故、支持部材に対する各バスバー保持ユニットの移動許容領域において、電線の延出方向と反対方向の移動端にバスバー保持ユニットが位置する場合を隣接するバスバー保持ユニット間の離隔距離が最大となるように設定することで、バスバー保持ユニット間の離隔距離を小さくする方向、即ち電線の延出方向にバスバー保持ユニットを変位させた場合に、電線が余長吸収突起に係合して電線の延出方向と反対方向に引かれて、電線の余長が確実に吸収されるのである。
【図面の簡単な説明】
【００１５】
【図１】本発明の一実施形態としての電池接続モジュールを含む組電池の斜視図。
【図２】図１に示された電池接続モジュールの要部を示す分解斜視図。
【図３】図１に示された電池接続モジュールの要部であって、隣り合うバスバー保持ユニットの離隔距離が最大とされた場合を示す平面図。
【図４】図１に示された電池接続モジュールの要部であって、隣り合うバスバー保持ユニットの離隔距離が最小とされた場合を示す平面図。
【発明を実施するための形態】
【００１６】
以下、本発明の実施形態について、図面を参照しつつ説明する。
【００１７】
図１〜図４には、本発明の一実施形態としての電池接続モジュール１０が示されている。電池接続モジュール１０は、図１に示すように、組電池１２を構成する複数の電池セル１４を電気的に接続するために用いられるものであって、複数の電池セル１４とそれらを接続する２つの電池接続モジュール１０を含んで、組電池１２が構成されるのである。
【００１８】
組電池１２を構成する各電池セル１４は、全体として扁平な矩形箱体状を呈しており、図示しないボルト状の正電極と負電極が上面の長さ方向（図１中、Ｙ方向）の両端部分に突設されている。これら複数の電池セル１４は、正電極と負電極が互いに逆向きとなるように交互に配設され、各電池セル１４の厚さ方向（図１中、Ｘ方向）で互いに重ね合せされて配列されている。これにより、組電池１２の両側縁部（図１中、Ｙ方向の両側）では、電池セル１４の配列方向（図１中、Ｘ方向）で、正電極と負電極が交互に隣り合って配列されているのである。なお、以下の説明で各電池セル１４の正電極と負電極は、図４に示すように、便宜上一括して電極１５と言うものとする。
【００１９】
このように複数の電池セル１４が配列された組電池１２の両側縁部には、それぞれ本実施形態の電池接続モジュール１０，１０が組み付けられており、これにより、複数の電池セル１４が電気的に直列に接続されるようになっている。これらの電池接続モジュール１０，１０は、図１のＹ方向で奥側に設けられた電池接続モジュール１０において、長さ方向両端部分のバスバー１６が、後述する貫通孔２８が１つのみ設けられたものであること以外、基本的な要部の構造は同じであることから、以下、図１のＹ方向で手前側に設けられた電池接続モジュール１０に基づいて詳述する。
【００２０】
電池接続モジュール１０は、全体として電池セル１４の配列方向に延びる長手矩形箱体形状を呈している。図２に示すように、電池接続モジュール１０は、組電池１２において隣り合う電池セル１４，１４のそれぞれの電極１５，１５（交互に配列された正電極と負電極）を電気的に接続する複数のバスバー１６と、バスバー１６に組み付けられて接続される複数の端子付電線１８と、各バスバー１６と各端子付電線１８をそれぞれ保持する複数のバスバー保持ユニット２０を備えている。さらに、複数のバスバー保持ユニット２０を電池セル１４の配列方向で移動可能に支持する枠体状の支持部材２２を備えており、支持部材２２に対して薄肉矩形平板状の蓋部材２４を装着することにより、バスバー保持ユニット２０とそれに支持されたバスバー１６や端子付電線１８が、外部から覆蓋されるようになっている。
【００２１】
より詳細には、バスバー１６は、銅や銅合金等の金属平板を略矩形平板状にプレス打ち抜きして設けられたものであり、表面には錫めっき等のめっきが施されていてもよい。バスバー１６には、隣り合う電池セル１４，１４のそれぞれの電極１５，１５が挿通される２つの貫通孔２８，２８が貫設されている。
【００２２】
バスバー１６に接続される端子付電線１８は、例えば、組電池１２の各電池セル１４の電極１５における電圧を検出するために用いられるものであり、電極１５に接続されるバスバー１６に組み付けられる端子３０と、端子３０の端部から延出する電線３２を有している。端子３０はバスバー１６と同様、銅や銅合金等の金属平板を略正方平板状にプレス打ち抜きして設けられたものであり、中央部分に電極１５を挿通する貫通穴３４が貫設されている。端子３０の端部には、電線３２の芯線が圧着されて電気的に接続されている。
【００２３】
バスバー保持ユニット２０は、バスバー１６を個別に収容するバスバー収容部３６と、バスバー１６に組み付けられた端子３０から延出する電線３２を収容する電線収容部３８を備えており、ポリプロピレン（ＰＰ）やポリアミド（ＰＡ）等の非導電性の合成樹脂材料によって形成された一体成形品である。
【００２４】
バスバー収容部３６は、バスバー１６の底面の外周縁部に当接して周方向で断続する枠体状の支持部４０と、支持部４０の周縁部から立ち上がってバスバー１６の周縁を囲う平面視矩形状の周壁部４２を含んで構成されている。図２から明らかなように、バスバー収容部３６は全体として矩形枠体形状を呈しており、支持部４０の内周縁部によって画成される開口窓４４を挿通して、隣り合う電池セル１４の２つの電極１５，１５が挿通可能とされている。
【００２５】
図２〜４に示すように、バスバー収容部３６の周壁部４２の適所には（本実施形態では、上側側壁４５ａと下側側壁４５ｂの長さ方向中央部分）には、押え突起４６が突設されている。これにより、バスバー収容部３６に収容配置されたバスバー１６は、その底面の外周縁部が支持部４０に支持される一方、上面の外周縁部が押え突起４６に僅かな隙間を隔てて対向されており、支持部４０と押え突起４６の間でバスバー１６が保持されるようになっている。なお、バスバー収容部３６の周壁部４２における下側側壁４５ｂの長さ方向の一方の端部（図２〜４中、左側端部）には、バスバー１６に組み付けられた端子付電線１８の電線３２が引き出される切欠部４８が設けられている。
【００２６】
電線収容部３８は、バスバー収容部３６の切欠部４８に連接されて電池セル１４の配列方向に直交する方向に延出する第一凹溝部５０と、第一凹溝部５０の延出端部に連接されて電池セル１４の配列方向に平行に延びる第二凹溝部５２を含んで構成されている。第二凹溝部５２の上側側壁５４ａと下側側壁５４ｂの適所には、電線押え突起５６が突設されており、第二凹溝部５２に収容された電線３２の飛び出しが防止されるようになっている。なお、電線押え突起５６と対向する第二凹溝部５２の底面には、貫通穴５７が設けられており、電線押え突起５６の下方側への電線３２の押し込みが容易に行い得るようになっている。
【００２７】
さらに、電線収容部３８には、第二凹溝部５２の上側側壁５４ａの長さ方向中間部分に、第二凹溝部５２とバスバー収容部３６を連結する連結部５８が設けられており、バスバー保持ユニット２０全体の補強が図られている。また、第二凹溝部５２の底面には、第一凹溝部５０との連接部位付近において、後述する余長吸収突起７８が挿通される貫通孔６０が貫設されている。このように構成された電線収容部３８に対して、バスバー１６に組み付けられた端子付電線１８の端子３０から延出する電線３２が収容配置され、電線３２が第一凹溝部５０を通って、第二凹溝部５２の長さ方向一方の側（電池セル１４の配列方向の一方側となる図２〜４中の右側）に向かって延出される。
【００２８】
さらに、バスバー保持ユニット２０には、隣り合うバスバー保持ユニット２０，２０同士を電池セル１４の配列方向で相対変位可能に連結する連結機構６２が一体的に設けられている。本実施形態では、連結機構６２は、バスバー保持ユニット２０の長手方向一方の側（図２〜４中、左側）において第一凹溝部５０から外方に突出する棒状の突起部６４と、バスバー保持ユニット２０の長手方向他方の側（図２〜４中、右側）においてバスバー収容部３６の下側側壁４５ｂと第二凹溝部５２の上側側壁５４ａの間に配設されて外方に突出する受け部６６を含んで構成されている。受け部６６は、突起部６４を摺動可能に収容するレール形状を呈しており下側側壁４５ｂと上側側壁５４ａに一体的に連結されて支持されている。図３〜４に示すように、隣り合うバスバー保持ユニット２０，２０の一方の突起部６４が他方の受け部６６に摺動可能に嵌め込まれることにより、複数のバスバー保持ユニット２０が、電池セル１４の配列方向（図３〜４中の左右方向）で相互に相対変位可能に順次連結され、電池セル１４の配列方向に整列配置されるのである。なお、突起部６４の先端部にはストッパ突部６８が突設されており、突起部６４の受け部６６からの抜け出しが阻止されるようになっている。
【００２９】
このように電池セル１４の配列方向で相対変位可能に順次連結された複数のバスバー保持ユニット２０は、図２に示す支持部材２２に載置されており、支持部材２２により電池セル１４の配列方向で移動可能に支持されている。支持部材２２は、相互に連結された複数のバスバー保持ユニット２０の周囲を囲う矩形枠体状の周壁部７０と、各バスバー保持ユニット２０におけるバスバー収容部３６の上側側壁４５ａの底面を支持する第一底壁部７２と、電線収容部３８の底面を支持する第二底壁部７４を含んで構成されており、ポリプロピレン（ＰＰ）やポリアミド（ＰＡ）等の非導電性の合成樹脂材料によって形成された一体成形品である。第一底壁部７２と第二底壁部７４の間には、大きな開口窓７６が形成されており、電池セル１４の電極１５が挿通可能となっている。
【００３０】
支持部材２２の第二底壁部７４には、複数の余長吸収突起７８が所定ピッチで突設されている。余長吸収突起７８は略一定の円形断面で突出する円筒形状を呈している。そして、各余長吸収突起７８は、各バスバー保持ユニット２０の貫通孔６０に挿通配置される位置に設けられている。
【００３１】
蓋部材２４は、支持部材２２の周壁部７０の平面視外形形状と略同じ大きさで広がる薄肉矩形平板状を呈しており、ポリプロピレン（ＰＰ）やポリアミド（ＰＡ）等の非導電性の合成樹脂材料によって形成されている。そして、図示しない係合機構を介して、支持部材２２に係合されるようになっている。
【００３２】
このような構成とされた電池接続モジュール１０は、例えば、以下のように組み立てられる。先ず、複数のバスバー保持ユニット２０を電池セル１４の配列方向に沿って並べ、順次連結機構６２を介して相対変位可能に連結する。連結された複数のバスバー保持ユニット２０のバスバー収容部３６に対して、それぞれバスバー１６と端子付電線１８の端子３０を順次配設して組み付ける。端子付電線１８の端子３０から延出する電線３２を電線収容部３８の第一凹溝部５０と第二凹溝部５２にそれぞれ挿通配置し、電池セル１４の配列方向の一方の側（図３〜４中、右側）に延び出させる。このようにバスバー１６と端子付電線１８が装着された複数のバスバー保持ユニット２０を、支持部材２２に対して嵌め入れて支持させる。これにより、支持部材２２に設けられた余長吸収突起７８が電線収容部３８に貫設された貫通孔６０を通じて電線収容部３８内に突設される。
【００３３】
このようにして図３に示す状態に組み付けられた電池接続モジュール１０を、図４に示す配列された複数の電池セル１４に対して組み付ける。その際、隣り合う電池セル１４，１４のそれぞれの電極１５，１５が、支持部材２２の開口窓７６とバスバー収容部３６の開口窓４４をそれぞれ挿通し、バスバー１６に設けられた２つの貫通孔２８，２８に挿通される。なお、一方の貫通孔２８（図４中、左側）に挿通された電極１５は、さらに端子付電線１８の端子３０に設けられた貫通穴３４にも挿通され、図４に示す状態となる。その後、図示しないナットが各電極１５に締結されることにより、電池接続モジュール１０が複数の電池セル１４に接続固定され、その後、蓋部材２４が支持部材２２に対して組み付けられることにより、電極１５やバスバー１６および端子付電線１８が外部から覆蓋される。要するに、各バスバー１６により、隣り合う電池セル１４，１４の電極１５，１５が電気的に接続されることにより、複数の電池セル１４が２つの電池接続モジュール１０，１０を介して直列に接続された図１に示す組電池１２が構成されるのである。
【００３４】
このように構成された本実施形態の電池接続モジュール１０による寸法誤差の吸収や電線３２の余長を吸収する作用・効果について、以下図３〜４に基づいて説明する。図３には、支持部材２２に支持された各バスバー保持ユニット２０が、支持部材２２に対する移動許容領域Ａにおいて、端子３０からの電線３２の延出方向（図３中、右側）と反対方向（図３中、左側）の移動端に位置されている。本実施形態では、この位置を、バスバー保持ユニット２０の隣接するバスバー保持ユニット２０に対する離隔距離（相対変位距離）が最大となる位置として設定している。
【００３５】
また、図４では、左側のバスバー保持ユニット２０が、支持部材２２に対する移動許容領域Ａにおいて、端子３０からの電線３２の延出方向（図３中、右側）の移動端に位置されている点が、図３と異なっている。本実施形態では、この位置を、バスバー保持ユニット２０の隣接するバスバー保持ユニット２０に対する離隔距離（相対変位距離）が最小となる位置として設定している。従って、複数の電池セル１４の電極１５ピッチと、電池接続モジュール１０のバスバー１６ピッチの公差による寸法誤差が生じた場合には、この移動許容範囲Ａ内で各バスバー保持ユニット２０を移動させることにより、電極１５とバスバー１６の貫通孔２８の位置ずれを吸収して、電極１５とバスバー１６の組み付けが問題なく行われるようになっているのである。
【００３６】
そして、端子付電線１８の電線３２は、図３に示すように、隣接するバスバー保持ユニット２０間の離隔距離が最大とされた場合を基準として、必要な長さを有するように長さ調整がされている。それ故、例えば、図４に示すように、電極１５とバスバー１６の貫通孔２８の位置ずれを吸収するために、支持部材２２に対して左側のバスバー保持ユニット２０を、右側のバスバー保持ユニット２０への離隔距離が小さくする方向、即ち端子３０からの電線３２の延出方向（図４中、右側）に変位させた際に、電線３２に余長が発生することとなる。本実施形態では、バスバー保持ユニット２０が電線３２の延出方向に移動した場合に、電線３２が電線収容部３８に突設された余長吸収突起７８に係合して、電線３２の延出方向と反対方向（図４中、左側）に引かれるようになっている。
【００３７】
これにより、バスバー保持ユニット２０が、隣接するバスバー保持ユニット２０に対する離隔距離が小さくなる方向に移動した場合に発生する電線３２の余長が、電線３２の延出方向と反対方向に吸収され、電線３２の電線収容部３８からの飛び出しが確実に防止されるようになっているのである。従って、本実施形態の電池接続モジュール１０によれば、従来問題となっていた、電線３２の電線収容部３８からの飛び出しに起因する電線３２の損傷や、電極１５とバスバー１６の締結作業性への悪影響、更には突出した電線３２と他部材との干渉等のあらゆる不具合を一気に解決できるのである。
【００３８】
なお、本実施形態では、余長吸収突起７８が円筒形状であることから、屈曲点のない滑らかな外周面を有し、電線３２に局所的な荷重が加わることが防止されている。これにより、電線３２の損傷等が防止されるのである。また、本実施形態では、バスバー保持ユニット２０が移動許容領域Ａの最少側の移動端に移動された際、即ち、隣り合うバスバー保持ユニット２０，２０の離隔距離が最少となった場合に、余長吸収突起７８が電線収容部３８の底面に形成された貫通孔６０の周縁部に当接されるようになっている。これにより、過度の引張荷重が電線３２に及ぼされることが回避されて、電線３２の損傷や断線が未然に防止されているのである。
【００３９】
以上、本発明の実施形態について詳述したが、本発明はその具体的な記載によって限定されない。例えば、上記の実施形態では、各バスバー保持ユニット２０に１つのバスバー収容部３６が設けられた例を示したが、バスバー保持ユニット２０の具体的形状は、例示のものに限定されない。例えば、特開２０１３−１６３８０号公報に記載の如き１つ以上のバスバー収容部を備えたバスバー保持ユニットにも、本発明は同様に適用可能である。
【００４０】
また、余長吸収突起７８の具体的形状や、余長吸収突起７８が突設された支持部材２２の具体的形状は任意に設定可能であり、例えば、支持部材２２を、電線収容部３８の下方のみに設けられる形状で構成してもよい。
【００４１】
加えて、隣接するバスバー保持ユニット２０同士を、電池セル１４の配列方向で相対変位可能に連結する連結機構は、例示の如き摺動連結による連結機構６２の他、ヒンジ連結やピボット連結等、公知の連結機構が任意に採用可能である。
【符号の説明】
【００４２】
１０：電池接続モジュール、１２：組電池、１４：電池セル、１５：電極、１６：バスバー、１８：端子付電線、２０：バスバー保持ユニット、２２：支持部材、２８：貫通孔、３０：端子、３２：電線、３６：バスバー収容部、３８：電線収容部、６２：連結機構、７８：余長吸収突起
【図１】
2015133223.tif 000003
【図２】
2015133223.tif 000004
【図３】
2015133223.tif 000005
【図４】
2015133223.tif 000006